(57)【要約】【課題】海水を含有する漏水の流量を、海水由来成分であるカルシウムイオン等のアルカリ土類金属イオンの影響を受けることなく簡便に求めるようにする。【解決手段】海水を含有する漏水の流量と電気伝導率とのあいだは一次の関係にあり、そこでこの関係式をあらかじめ求めておき、該求めた関係式に、カルシウムイオン等の海水由来成分に長期に亘っても影響を殆ど受けることがない電気伝導率測定用の電極を用いて測定した漏水の電気伝導率を代入することで漏水の流量を算出する。【選択図】　　　　図３
2004037315.tif 000002
【特許請求の範囲】
【請求項１】
地下水に海水を含んだ漏水の流量を、該漏水の流量と電気伝導率との関係を関数化し、該関数化されたものに、測定した漏水の電気伝導率を代入して算出するようにしたことを特徴とする地下水に海水を含む漏水の流量算出方法。
【請求項２】
地下水に海水を含んだ漏水の流量を算出するにあたり、漏水の流量と電気伝導率との関係を関数化する手段と、漏水の電気伝導率の測定値を前記関数化されたものに代入して漏水の流量を算出する手段とを備えたことを特徴とする地下水に海水を含む漏水の流量算出装置。
【請求項３】
請求項１または２において、漏水の流量と電気伝導率との関係は一次関数であることを特徴とする地下水に海水を含む漏水の流量算出方法または流量算出装置。
【請求項４】
請求項３において、一次関数は、漏水の流量と電気伝導率との測定値から求めたものであることを特徴とする地下水に海水を含む漏水の流量算出方法または流量算出装置。
【請求項５】
請求項３において、一次関数は、漏水の流量と海水由来成分濃度との測定値を、海水由来成分濃度と電気伝導率との関係式で補正して求めたものであることを特徴とする地下水に海水を含む漏水の流量算出方法または流量算出装置。
【請求項６】
地下水に海水を含む漏水を地下構造物から汲み出すためのポンプ手段と、該ポンプ手段の汲み出し量の制御をする制御手段とを備えて漏水汲み出しの制御装置を構成するにあたり、前記制御手段には、漏水の電気伝導率の測定値を入力する入力手段と、あらかじめ測定された漏水の流量と電気伝導率とのあいだから求められた関数式に前記入力した電気伝導率の測定値を当てはめて得た漏水流量に基づいてポンプ手段の汲み出し量を決定する決定手段とが設けられて構成されていることを特徴とする漏水汲み出し量の制御装置。
【請求項７】
請求項６において、制御装置は、あらかじめ設定された漏水のある任意の測定位置に据え置かれた電気伝導率測定用の電極に接続され、該電極で測定された電気伝導率の測定値を入力するようになっていることを特徴とする漏水汲み出し量の制御装置。
【請求項８】
請求項７において、測定位置は複数設定され、これら複数の測定位置での電気伝導率の各測定値から算出される漏水流量を合算して漏水総流量を算出し、該漏水総流量に基づいてポンプ手段の汲み出し量を決定するものであることを特徴とする漏水汲み出し量の制御装置。
【発明の詳細な説明】
【０００１】
【発明の属する技術分野】
本発明は、海底トンネル等の地下構造物のように海底や海岸近傍にあって、地下水に海水を含む漏水がある場合における漏水の流量算出方法、流量算出装置および漏水汲み出し量の制御装置の技術分野に属するものである。
【０００２】
【従来技術】
こんにち、地下水面や海面より低い位置にトンネルやボックスカルバート等の地下構造物を築造することが頻繁に行われ、このような地下構造物では、漏出した水の自然排水ができない場合があり、このときには地下構造物の水没を避けるため漏出した水を動力を使って地上に排出することが要求される。この様な地下構造物における漏水の要因には地下水の存在があげられるが、当該地下水の供給量は、梅雨や台風による集中的な大雨や逆に渇水等の自然環境（特に雨量）に左右されることもあって、緩慢ではあるが変化する。ところが、構造物の内部に漏出したこのような水の排出能力については漏水流量に対応させることが効率上好ましいだけでなく、漏水状態を把握することもメンテナンスの管理上、また、構造物の保安上の理由から要求される。そのためには、漏水流量を定期的に測定することが必要になり、このようなことは海水が漏水中に混入する海底や海岸に近い位置に築造した地下構造物についても同じことがいえる。
そしてこのような漏水流量の測定には、例えば三角ぜき（または四角ぜき）法というものが従来から採用されている。この方法は、一般的に広く用いられる流量測定法であって、流水をせき止めることができる三角ぜきを適宜位置に形成し、該三角ぜきにせき止められ、これを乗り越えてくる流水の深さから単位時間当たり（例えば１時間とか１日当たり）の漏水流量を算出するという直接的な測定手法である。ところが該三角ぜき法は、せき止め部位からの漏水がないよう粘土等のシール材を用いてしっかりとした目止めを素早く形成する必要がある一方で、測定後においては、排水のため設けられた貯留槽に前記シール材が流れ込まないよう使用ずみのシール材を完全に除去する必要に迫られ、測定作業が面倒、かつ、煩雑になり、しかも長時間を要するという問題がある。さらに三角ぜき法は、測定者個人が微妙な貯留水量を実測するものであるため、測定値に公正を期すため複数の測定者が必要で、作業能率が低いという問題もある。
【０００３】
そこで本発明の発明者は、特開２００１−１４１５４５号公報に示されるように、陸上側から漏洩する地下水量は自然環境等により変化するのに対し、海底から漏洩する海水量は殆ど変化がないと共に海水成分も略一定であると予測し、この予測に基づいて、地下水に海水を含んだ漏水（以下「海水含有漏水」という）中の海水由来成分である特定イオン（例えばナトリウムイオン）の濃度と漏水流量とが一次の関係になるのではないかという推論をした。そしてこれを立証するため、実際に、地下構造物から漏洩する海水含有漏水について、特定イオンの濃度とそのときの漏水流量とを測定してみたところ、該特定イオンの濃度と漏水流量とは、推論どおり一次の関係式に近似できることを見出し、これにより、該一次の関係式をあらかじめ求めておけば、以降は、海水含有漏水中の特定イオンの濃度を測定し、その測定値を一次の関係式に代入することで海水含有漏水の流量を簡単に算出できる手法を開発し、これにより、三角ぜき法によるような面倒な測定をすることなく、能率の良い流量算出ができるようになった。
【０００４】
【発明が解決しようとする課題】
ところが前記開発した漏水流量を算出する手法は、該算出をするにあたり、漏水中の特定イオンの濃度を測定する必要があるが、そのような濃度測定法としては、イオンクロマトグラフィーを用いた手法やイオン選択性電極を用いた手法がある。ところが前者の場合、現場での測定はできず、現場で汲み上げた漏水を実験室まで運び込んでの濃度測定となって面倒、かつ、煩雑であるだけでなく、装置自体も大きく、またコスト高になるという問題がある。一方、後者のものは、現場の漏水にイオン選択性電極を浸漬することにより簡単な濃度測定が可能となるが、該イオン選択性電極を用いて濃度測定する場合、イオン選択性電極は良く洗浄したものを用いて測定するのが原則であるが、漏水位置が複数あり、これらを纏めて測定しようとする場合、いちいち洗浄するのが面倒であるばかりでなく、洗浄不良により測定値の正確度が損なわれるという問題がある。一方、イオン選択性電極を測定現場に据え置いて漏水に浸漬し続けたままとし、測定値を人手を用いることなく随時入力できるようにすることも提唱されるが、イオン選択性電極を長期間浸漬し続けたままにすると、イオン選択性電極に、例えばカルシウムイオン等のアルカリ土類金属イオンが累積的に付着することになって測定値が不安定化し、場合によっては突然、異常な測定値が観測されることがあることもあって信頼性に欠け、これを回避するには、イオン選択性電極を定期的に洗浄する等して付着しているイオンを除去する作業が必要になるという問題があり、ここにも本発明の解決すべき課題がある。
さらにまた、海水含有漏水のある地下構造物では、該漏水をポンプによって汲み出す必要があるが、漏水流量の継続的な把握が難しく、このためポンプの駆動効率が低いという問題もあり、これらに本発明が解決せんとする課題がある。
【０００５】
【課題を解決するための手段】
本発明は、上記のような実情に鑑み、これらの課題を解決することを目的として創作されたものであって、請求項１の発明は、地下水に海水を含んだ漏水の流量を、該漏水の流量と電気伝導率との関係を関数化し、該関数化されたものに、測定した漏水の電気伝導率を代入して算出するようにしたことを特徴とする地下水に海水を含む漏水の流量算出方法である。
また、請求項２の発明は、地下水に海水を含んだ漏水の流量を算出するにあたり、漏水の流量と電気伝導率との関係を関数化する手段と、漏水の電気伝導率の測定値を前記関数化されたものに代入して漏水の流量を算出する手段とを備えたことを特徴とする地下水に海水を含む漏水の流量算出装置である。
そしてこれらのようにすることで、イオンの付着には殆ど影響を受けることがない電気伝導率電極を用いて得た電気伝導率の測定値に基づいて地下水に海水を含んだ漏水流量を算出できることになって、長期に亘って安定した漏水流量の算出ができる。
請求項３の発明は、請求項１または２において、漏水の流量と電気伝導率との関係は一次関数であることを特徴とするもので、このようにすることにより、より簡便な漏水流量の算出ができる。
請求項４の発明は、請求項３の発明において、一次関数は、漏水の流量と電気伝導率との測定値から求めたものであることを特徴とするものであり、また請求項５の発明は、請求項３において、一次関数は、漏水の流量と海水由来成分濃度との測定値を、海水由来成分濃度と電気伝導率との関係式で補正して求めたものであることを特徴とするものであり、これらのようにすることで、請求項３の一次関数を求めることが、直接的に、または間接的にできることになる。
請求項６の発明は、地下水に海水を含む漏水を地下構造物から汲み出すためのポンプ手段と、該ポンプ手段の汲み出し量の制御をする制御手段とを備えて漏水汲み出しの制御装置を構成するにあたり、前記制御手段には、漏水の電気伝導率の測定値を入力する入力手段と、あらかじめ測定された漏水の流量と電気伝導率とのあいだから求められた関数式に前記入力した電気伝導率の測定値を当てはめて得た漏水流量に基づいてポンプ手段の汲み出し量を決定する決定手段とが設けられて構成されていることを特徴とする漏水汲み出し量の制御装置である。そしてこのように構成することにより、地下構造物からのポンプ手段による漏水汲み出しを、漏水流量に応じてできることになってポンプ手段の駆動効率が向上する。
請求項７の発明は、請求項６において、制御装置は、あらかじめ設定された漏水のある任意の場所に据え置かれた電気伝導率測定用の電極に接続され、該電極で測定された電気伝導率の測定値を入力するようになっていることを特徴とするものであり、このようにしたときには、電気伝導率の測定が人手をかけることなく効率的にできることになる。
請求項８の発明は、請求項７において、測定位置は複数設定され、これら複数の測定位置での電気伝導率の各測定値から算出される漏水流量を合算して漏水総流量を算出し、該漏水総流量に基づいてポンプ手段の汲み出し量を決定するものであることを特徴とするものであり、このようにすることで、より精度の高い漏水汲み出し制御ができることになる。
【０００６】
【発明の実施の形態】
前述したように、地下構造物において漏出する海水含有漏水は、自然環境等により変化する地下水と海底から漏洩するほぼ一定量の海水との単純な希釈律に支配されているとの予測のとおり、海水含有漏水中の特定海水由来成分の濃度と該漏水の流量とは一次の関係式に近似できることを見出したが、さらに海水由来成分が生物代謝されず、また化学変化もしなければ、海水含有漏水中の海水由来成分の濃度はそのまま漏水の電気伝導率に置き換えられるのではないかという推論をし、そこでこれを立証するため、海水含有漏水中の海水由来成分の濃度と、該漏水の電気伝導率との関係を調べたところ、これらは一次関数の関係になっていることを見出し、本発明を完成するに至った。
つまり、地下構造物における海水含有漏水の流量と海水由来成分の濃度とが一次の関係にあることは既に前記公開公報に記載されるように確認しており、このことに、海水含有漏水の海水由来成分の濃度と電気伝導率とが一次の関係にあることを勘案することで、海水含有漏水の流量、海水由来成分の濃度、そして電気伝導率とが相互に一次の関係にあり、このことから、海水含有漏水の流量と電気伝導率との関係をあらかじめ求めて関数化しておけば、以降は、イオンの付着に影響されることがない電気伝導率電極を用いて海水含有漏水の電気伝導率を測定し、その測定値を前記求めた関数に代入することにより確実で安定した海水含有漏水の流量を算出することができることを確認し、本発明が完成したものである。
そしてこの場合においてあらかじめ求められる海水含有漏水の流量と電気伝導率との関係は、海水含有漏水の流量と特定海水由来成分の濃度とのあいだにある一次の関係を、該特定海水由来成分の濃度と電気伝導率とのあいだにある一次の関係に基づいて補正して間接的に得たものに限定されず、海水含有漏水の流量と電気伝導率とを測定して両者のあいだにある関係を直接的に求めてもよいことは勿論である。
【０００７】
ところで本発明を実施するにあたり、海水含有漏水中の地下水分の流量はもちろんのこと、海水分の流量についても、海底や海岸と測定位置とのあいだの地盤や漏水経路等に影響されるため各測定位置に固有なものであり、この結果、任意の位置での漏水流量と電気伝導率との関係は、該任意の位置に固有なもので、これを他の全ての位置の関数として用いることができるというものではなく、個々の測定位置においてあらかじめ漏水の流量と電気伝導率との関係についてそれぞれ関数化しておくことが必要となる。この関数化のためには、対応する測定値について統計学上の処理をすることが精度向上のためには好ましく、その場合に、例えば通常知られた最小二乗法等の計算法を用いることができる。
因みに、地下水中にもナトリウムイオン等の各種の地下水由来成分を含有することから、例えば海水含有漏水のナトリウムイオン濃度と電気伝導率との関係は、測定位置によって変動することになるが、地下水由来成分が微量で海水由来成分に対して無視できるような場合には、海水を純水で希釈して得たナトリウムイオン濃度と電気伝導率とのあいだの関係式を、海水含有漏水のナトリウムイオン濃度と電気伝導率とのあいだの関係式として採用することができる。
【０００８】
【実施例】
次に、本発明の実施例について図面を用いて説明する。図１は既存の海底トンネルの概略縦断面図であって、該海底トンネルは、本坑１および作業坑２を有し、そのうちの本坑１は、トンネルの中間に向かうほど深くなるこう配変更点を有する略Ｖ字形の傾斜状態で築造されている。これに対して作業抗２は、前記本坑１の最深位置をこう配変更点として坑口に至るほど深くなるよう傾斜した略逆Ｖ字形に築造され、そして各坑口側の地上位置においてたて坑３、４が築造されている。
【０００９】
そして前記本坑１の（ａ）〜（ｅ）位置ならびに作業坑２の（ｆ）〜（ｉ）位置について、漏水の流量（ｍ３　日−１：メートルの３乗　日のマイナス１乗）を三角ぜき法にて測定すると共に、その漏水中の電気伝導率（ｍＳ　ｃｍ−１：ミリジーメンス　センチメートルのマイナス１乗）およびナトリウムイオン濃度（μｇ　ｍＬ−１：マイクログラム　ミリリットルのマイナス１乗）を測定した。図２に電気伝導率とナトリウムイオン濃度との測定値をプロットしたものを、また図３〜図９に前記各位置（ａ）〜（ｇ）における電気伝導率と漏水流量との測定値をプロットしたものを示す。これらプロットされたグラフ図を観察したときに、図２において、漏水中の電気伝導率とナトリウムイオン濃度との関係が一次関数に極めて合致していることが確認され、そこで最小二乗法により一次関数を求め、これを線引きした。そしてこの一次関数とプロット値との相関係数（ｒ）の二乗値を算出したところ、「ｒ２＝０．９９３８」となって「１」に極めて近似し、漏水中の電気伝導率とナトリウムイオン濃度とが高い一次関数の関係にあることが確認された。因みに、電気伝導率と海水由来成分の濃度とのあいだの一次の関係は、ナトリウムイオンとのあいだだけでなく、カリウムイオン、マグネシウムイオン、カルシウムイオン、塩化物イオン、硫酸イオンについてもあることを別途確認している。
【００１０】
このように漏水の流量、海水由来成分であるナトリウムイオン濃度、そして電気伝導率が相互に一次の関係にあることが確認され、そこであらかじめ漏水の流量とナトリウムイオン濃度との測定値データが複数ある場合には、これら測定値データ（または漏水の流量とナトリウムイオン濃度との関係式）を、前記電気伝導率とナトリウムイオン濃度との一次の関係式で補正することで漏水の流量と電気伝導率との関係が間接的に求められる。また、漏水の流量と電気伝導率との測定値データが複数あれば、これらから対応する漏水の流量と電気伝導率との関係を直接的に求めることができる。そして、図３〜図９のものは、測定位置（ａ）〜（ｇ）における漏水の流量と電気伝導率の測定値データからこれらの関係式（測定位置（ｈ）および（ｉ）は図示を省略する）を求め、線引きしたものであるが、これら関係式は、漏水の流量とナトリウムイオン濃度との測定値データを、前記電気伝導率とナトリウムイオン濃度との関係式で補正して得た関係式と殆ど一致することを確認しており、このことから、何れの手法で求めたものであっても本発明の関係式として用いてよいことが確認される。
【００１１】
次に、図１０に、一方のたて坑３の漏水汲み出しの制御装置を兼ねた漏水流量算出装置を示す（他方のたて坑４の漏水汲み出し制御も同様に実施できるので、その詳細については省略する）が、該算出装置５は、キーボード等の入力手段６、ディスプレイ表示部７を備えた制御部（パーソナルコンピューター等）８から構成され、該制御部８には、算出（演算）手段９、登録（記憶）手段１０ならびに漏水の汲み出し量を決定する決定手段１１を備えていると共に、該制御部８には、前記各対応する漏水位置（ｃ）〜（ｇ）の漏水にそれぞれ浸漬するよう据え置き配設された電気伝導率測定用の各電極（センサー：通常は白金電極により構成されている）１２、前記一方のたて坑３の漏水貯留槽３ａに貯留された漏水を汲み上げるポンプ部１３、該漏水貯留槽３ａに設けられた貯留漏水量検知センサー１４がそれぞれ接続され、前記各電極１２からそれぞれ入力した測定値に基づいて漏水流量を算出し、該算出した漏水流量の合算となる漏水総流量Ｘと貯留漏水量センサー１４で測定される測定貯留量Ｙに基づいてポンプ部１３の汲み上げ量を制御するように構成されている。
【００１２】
まず、前記制御部８では、適宜設定された各漏水位置ごとの漏水の流量と電気伝導率との測定値が入力手段６を介して入力され、該入力した測定値に基づいて漏水位置毎の漏水の流量と電気伝導率との一次の関係式を算出手段５で各演算をし、該各一次の関係式が登録手段１０に登録される設定になっている。そして制御部８は、各漏水位置に配した電極１２から入力した測定値を前記登録される一次の関係式に代入し、これに基づいて各対応位置の漏水流量の算出をし、これらをディスプレイ表示部７に表示すると共に、ポンプ部１３の汲み上げ量制御をするようになっている。
【００１３】
ここにおいて前記汲み上げ量制御は、算出された漏水流量から漏水貯留槽３ａに流れ込む漏水の漏水総流量Ｘを演算し、該演算された漏水総流量Ｘに基づいてポンプ部１３の汲み上げ制御をするが、その制御例を図１１のフローチャート図に基づいて説明する。ここでポンプ部１３は、定容量型の第一、第二のポンプ１５、１６が並設され、各別に貯留漏水を汲み出すことができるものであるとして説明する。前述した制御部８は、対応ソフトを起動することでシステムスタートをし、データ読み込み等初期設定がなされることになるが、このものではまず、前述した各測定位置での漏水の電気伝導率の測定値に基づいて算出された漏水流量から漏水総流量Ｘを算出する。そしてこの漏水総流量Ｘが、あらかじめ設定される第一設定総流量Ａ以下であるか否か（Ｘ≦Ａ？）の判断がなされる。そして漏水総流量Ｘが第一設定総流量Ａ以下であると判断された場合に、さらに貯留漏水量センサー１４で測定される測定貯留量Ｙが、あらかじめ設定される第一設定貯留量Ｒ以下であるか否か（Ｙ≦Ｒ？）の判断がなされ、第一設定貯留量Ｒ以下であると判断された場合には、貯留漏水が少なく、かつ、漏水流量も少ないとして第一、第二ポンプ１５、１６は共に停止制御されて、リターンする。これに対し、前記測定貯留量Ｙが第一設定貯留量Ｒより大きい（Ｙ＞Ｒ）と判断された場合、さらに該測定貯留量Ｙが、前記第一設定貯留量Ｒよりも大きい値として設定される第二設定貯留量Ｓ（Ｒ＜Ｓ）以下であるか否か（Ｙ≦Ｓ？）の判断がなされ、該第二設定貯留量Ｓ以下であると判断された場合には、漏水流量は通常範囲で、かつ、貯留漏水も通常量であるとして第一ポンプ１５のみを駆動して通常状態の汲み上げ制御をする。これに対して、測定貯留量Ｙが第二設定貯留量Ｓよりも大きい（Ｙ＞Ｓ）と判断された場合には、漏水流量は通常範囲であるが貯留漏水量が多いとして第一、第二ポンプ１５、１６をそれぞれ駆動して早期の汲み上げをするように制御され、リターンする。
【００１４】
これに対し、漏水総流量Ｘが第一設定総流量Ａより大きい（Ａ＜Ｘ）と判断された場合、さらに該漏水総流量Ｘが、第一設定総流量Ａよりも大きい値としてあらかじめ設定される第二設定総流量Ｂ（Ａ＜Ｂ）以下であるか否か（Ｘ≦Ｂ？）の判断がなされる。そして第二設定総流量Ｂ以下であると判断された場合には、さらに前記測定貯留量Ｙが、前記第一設定貯留量Ｒ以下であるか否か（Ｙ≦Ｒ？）の判断がなされ、該第一設定貯留量Ｒ以下であると判断された場合、漏水流量はかなり多いものの貯留漏水量は少ないとして第一ポンプ１５のみの駆動制御をするが、測定貯留量Ｙが第一設定貯留量Ｒよりも多い（Ｒ＜Ｙ）と判断された場合には、貯留漏水量は通常であるが漏水流量はかなり多いとして第一、第二ポンプ１５、１６をそれぞれ駆動制御するようにし、このようにして大量の漏水に対応する汲み上げ量制御がなされる。
【００１５】
一方、本実施の形態では、漏水総流量Ｘが第二設定総流量Ｂよりも大きいと判断される場合、これは異常漏水であると判断し、第一、第二ポンプ１５、１６の駆動制御をすると共に、その旨をディスプレイ表示し、あるいはブザー音を発したりして報知する制御がなされ、このようにして異常漏水に対応する制御が実行されるようになっている。因みに、このような異常漏水に対しては、別途配設した非常用のポンプを駆動する等して大量の漏水汲み出しをするように制御できることは言うまでもない。
【００１６】
このように、本発明が実施された形態のものは、地下構造物における漏水流量を、継続的に海水含有漏水に浸漬してもほとんど影響されることがない電気伝導率測定用の電極を測定現場に据え付けて連続的に得られる電気伝導率の測定値を入力し、これに基づいて漏水流量を算出し、この算出結果に基づいて漏水汲み出し量の決定（前期実施の形態では第一、第二ポンプ１５、１６の駆動−停止制御）がなされ、その制御ができることとなって、地下構造物における漏水汲み出し管理が確実、かつ、容易になる。因みに、前述したような漏水の汲み出し制御は、複数台のポンプ設置に限らず、汲み出し容量可変型のポンプを用いても実施できることは言うまでもない。
【００１７】
そのうえこの実施の形態のものでは、連続的な漏水流量の入力に基づいての漏水汲み出し制御が人手を要することなくできるので、作業の大幅な効率アップが計れ、しかもこのものは算出された複数位置での漏水流量に基づいての漏水汲み出し制御が実施できるため、その精度が向上することになる。
【００１８】
さらにまた、本発明の漏水量算出装置としては、前述したようなものでなく、持ち運び可能なハンディタイプのものとしても提供することができる。図１２にその概略図を示すが、この算出装置１７は、記憶部を備えたマイクロコンピューターを制御部１８として有し、記憶部には、前記各測定位置（ａ）〜（ｉ）での漏水量と電気伝導率との関係式が入力されている。さらに制御部１８には、前記各測定位置を選択切換できる切換え操作具１９を備え、かつ、電気伝導率を測定するための電極２０が接続されている。そして操作員が算出装置１７を持って適宜の測定位置に赴き、該測定位置の選択をした状態で電極２０を漏水に直接浸漬して電気伝導率を測定すると、該測定値が制御部１８に入力され、この測定値を前記関係式に代入することで漏水流量が算出される。この算出された漏水流量は、ディスプレイ部２１に表示することもでき、また漏水流量値あるいは電気伝導率の測定値を登録しておいて、別途備えたパーソナルコンピューターに入力することも勿論できることは言うまでもない。
【図面の簡単な説明】
【図１】海底トンネルの概略縦断面図である。
【図２】漏水のナトリウムイオン濃度と電気伝導率との関係を示すグラフ図である。
【図３】測定位置（ａ）における漏水流量と電気伝導率との関係を示すグラフ図である。
【図４】測定位置（ｂ）における漏水流量と電気伝導率との関係を示すグラフ図である。
【図５】測定位置（ｃ）における漏水流量と電気伝導率との関係を示すグラフ図である。
【図６】測定位置（ｄ）における漏水流量と電気伝導率との関係を示すグラフ図である。
【図７】測定位置（ｅ）における漏水流量と電気伝導率との関係を示すグラフ図である。
【図８】測定位置（ｆ）における漏水流量と電気伝導率との関係を示すグラフ図である。
【図９】測定位置（ｇ）における漏水流量と電気伝導率との関係を示すグラフ図である。
【図１０】漏水汲み上げ装置の概略を示す断面図である。
【図１１】漏水汲み上げ制御例を示すフローチャート図である。
【図１２】ハンディタイプの漏水流量算出装置を示す概略斜視図である。
【符号の説明】
５　　漏水流量算出装置
８　　制御部
９　　算出手段
１１　　決定手段
１２　　電気伝導率測定用の電極
１３　　ポンプ部
１４　　貯留漏水量検知センサー
１５　　第一ポンプ
１６　　第二ポンプ
１７　　漏水量算出装置
２０　　電気伝導率測定用電極
【図１】
2004037315.tif 000003
【図２】
2004037315.tif 000004
【図３】
2004037315.tif 000005
【図４】
2004037315.tif 000006
【図５】
2004037315.tif 000007
【図６】
2004037315.tif 000008
【図７】
2004037315.tif 000009
【図８】
2004037315.tif 000010
【図９】
2004037315.tif 000011
【図１０】
2004037315.tif 000012
【図１１】
2004037315.tif 000013
【図１２】
2004037315.tif 000014